(57)【要約】      （修正有）【課題】従来よりも持ち運びが容易な投薬カレンダーを提供する。【解決手段】投薬カレンダー１０において、カレンダー部１３が印刷された台紙１１と、台紙１１に形成された折り畳み部１２とを備え、台紙１１を折り畳み部１２で折り畳んだときに、カレンダー部１３の枠内に設置された薬袋１５が、折り畳んだ状態の台紙１１の間に挟まれるように構成する。【選択図】図２
0003197537.tif 000002
【実用新案登録請求の範囲】
【請求項１】
カレンダー部（13）が印刷された台紙（11）と、
前記台紙（11）に形成された折り畳み部（12）とを備え、
前記台紙（11）を前記折り畳み部（12）で折り畳んだときに、前記カレンダー部（13）の枠内に設置された薬袋（15）が折り畳んだ状態の前記台紙（11）の間に挟まれることを特徴とする投薬カレンダー。
【請求項２】
前記台紙（11）を折り畳んだ状態で保持させる保持部材（20）を備えていることを特徴とする、請求項１に記載の投薬カレンダー。
【請求項３】
前記台紙（11）は、前記折り畳み部（12）を挟んで両側に表表紙（21）と裏表紙（22）とを有し、
前記保持部材（20）は、前記表表紙（21）と前記裏表紙（22）とに亘って巻き付けられたバンド（20a）を備えていることを特徴とする、請求項２に記載の投薬カレンダー。
【請求項４】
前記台紙（11）は、前記折り畳み部（12）を挟んで両側に位置する表表紙（21）と裏表紙（22）とを有し、
前記保持部材（20）は、互いに係合可能な係止部（20b）及び被係止部（20c）を備え、前記係止部（20b）が前記表表紙（21）及び裏表紙（22）の一方に設けられ、前記被係止部（20c）が前記表表紙（21）及び裏表紙（22）の他方に設けられていることを特徴とする、請求項２に記載の投薬カレンダー。
【考案の詳細な説明】
【技術分野】
【０００１】
本考案は、投薬カレンダーに係るものである。
【背景技術】
【０００２】
従来より、薬の入った小袋（以下、薬袋という。）を指定された服用時間帯毎に識別整理して収容できる投薬カレンダーが知られている（例えば、特許文献１を参照。）。
【０００３】
この投薬カレンダーは、本体シートの表面に、日付軸及び服用時間帯軸が設定されている。日付軸には、日付プレート及び曜日プレートを収容保持可能なプレートポケットが形成されている。服用時間帯軸には、服用時間帯プレートを収容保持可能なプレートポケットが形成されている。日付プレート、曜日プレート及び服用時間帯プレートから成るこれらの表示プレートは、本体シートのプレートポケット内において交換可能に構成され、これら両軸の交差位置において、薬を収納かつ視認可能な薬品収納ポケットが配設されている。これにより、薬を指定された服用時間体毎に識別整理して収納できるとともに薬を一目で確認でき、薬の飲み忘れや飲み違えが防止される。
【先行技術文献】
【特許文献】
【０００４】
【特許文献１】実用新案登録第３０９４３７７号公報
【考案の概要】
【考案が解決しようとする課題】
【０００５】
しかしながら、従来の投薬カレンダーにおいて、例えば認知症の進んだ患者等が、収納ポケットに違う薬を間違えて収容することが考えられ、必ずしも薬の飲み違えを防止できるものとは言えなかった。そこで、患者に代わって薬局の薬剤師が投薬カレンダーに薬をセットすることが考えられるが、薬局の薬剤師や職員が投薬カレンダーに薬をセットしたとしても、薬をセットした状態の投薬カレンダーを持ち運ぶことに関し、何らの考慮もなされていなかった。
【０００６】
本考案は、かかる点に鑑みてなされたものであり、その目的は、従来よりも持ち運びが容易な投薬カレンダーを提供することにある。
【課題を解決するための手段】
【０００７】
本考案は、投薬カレンダーを前提とする。この投薬カレンダーは、カレンダー部（13）が印刷された台紙（11）と、前記台紙（11）に形成された折り畳み部（12）とを備え、
前記台紙（11）を前記折り畳み部（12）で折り畳んだときに、前記カレンダー部（13）の枠内に設置された薬袋（15）が折り畳んだ状態の前記台紙（11）の間に挟まれる。
【考案の効果】
【０００８】
本考案によれば、投薬カレンダーにおいて、薬袋が設置された台紙を折り畳み部で折り畳んだときに、薬袋が折り畳んだ状態の台紙と台紙との間に挟まれるようにしたので、折り畳み部のない従来の投薬カレンダーに比べて、投薬カレンダーと薬とを容易に持ち運ぶことができる。
【図面の簡単な説明】
【０００９】
【図１】図１は、台紙が折り畳まれた状態の投薬カレンダーの正面図である。
【図２】図２は、台紙が広げられた状態の投薬カレンダーの正面図である。
【図３】図３は、２つの膨出部を有した台紙が折り畳まれた状態の投薬カレンダーの底面図である。
【図４】図４は、１つの膨出部を有した台紙が折り畳まれた状態の投薬カレンダーの底面図である。
【図５】図５は、一実施形態の変形例であって保持部材にバンドを用いた投薬カレンダーの正面図である。
【図６】図６は、一実施形態の変形例であって保持部材にホックを用いた投薬カレンダーの底面図である。
【考案を実施するための形態】
【００１０】
本考案の一実施形態に係る投薬カレンダー（10）を図面に基づいて詳細に説明する。尚、以下に説明する一実施形態は例示であり、本考案が一実施形態に限定されるものではない。
【００１１】
この投薬カレンダー（10）は、図１に示すように、台紙（11）を備えている。この台紙（11）は、その中央部分に折り畳み部（12）が形成されている。図２は、投薬カレンダー（10）の台紙（11）が開かれた状態を示す。台紙（11）は、図２に示すように、折り畳み部（12）を挟んで両側に表表紙（21）と裏表紙（22）とを有する。この折り畳み部（12）で台紙（11）を折り畳むことにより、投薬カレンダー（10）をコンパクトにすることができ、折り畳み部（12）のない従来のものに比べて、投薬カレンダー（10）の持ち運びを容易に行うことができる。
【００１２】
また、台紙（11）は、折り畳み部（12）以外の部分の厚みが２ｍｍに設定され、投薬カレンダー（10）を持ち運ぶ際に、折り畳み部（12）以外の部分が不用意に折れ曲がることを防止する。ここで、台紙（11）の厚みは例示であり、厚みは２ｍｍよりも大きく設定されていてもよい。
【００１３】
また、台紙（11）の表側には、この投薬カレンダー（10）を使用する患者の氏名を記載する欄が印刷されている。また、台紙（11）の表側には、薬局の名称、住所、電話番号及びファックス番号が印刷されている。
【００１４】
台紙（11）には、カレンダー部（13）が印刷されている（図２を参照）。カレンダー部（13）は、縦軸が薬の服用する時を示し、横軸が薬の服用する日を示す。ここで、縦軸の薬の服用する時とは、「あさ」「ひる」「よる」「ねるまえ」の各要素であるが、これは例示である。例えば、４つの要素のうち３つ以下を選択してもよい。３つ以下を選択する例として、「あさ」「ひる」「よる」または「あさ」「よる」等が挙げられる。また、各要素の欄が１つしかないがこれに限定されず、各要素の欄が２つ以上あってもよい。例えば、「あさ」の欄が２つで「よる」の欄が２つであってもよいし、「あさ」の欄が３つで「よる」の欄が１つであってもよい。
【００１５】
カレンダー部（13）の複数の枠内には、枠ごとに薬袋（15）が貼り付けられている。患者は、薬の服用する日時に対応する枠に貼り付けられた薬袋（15）から薬を取り出して服用する。
【００１６】
投薬カレンダー（10）は、図３に示すように、折り畳み部（12）が、台紙（11）の縦方向に沿う２つの膨出部（13）を有している。各膨出部（13）の裏側には折り目（14）が形成され、この折り目（14）に沿って台紙（11）が折り畳まれる。
【００１７】
ここで、膨出部（13）は２つに限らず、例えば，図４に示すように膨出部（13）が１つであってもよい。膨出部（13）を２つから１つにすることにより、表表紙（21）と裏表紙（22）との間の距離を短くすることができ、折り畳んだ状態の投薬カレンダー（10）を、膨出部（13）が２つの場合に比べて薄くすることができる。
【００１８】
薬袋（15）の薬の封入量が少なく、薬袋（15）の膨らみが小さい場合には、折り畳んだ状態の投薬カレンダー（10）を薄くするべく、膨出部（13）を１つにするのが好ましく、薬袋（15）の薬の封入量が多く、薬袋（15）の膨らみが大きい場合には、投薬カレンダー（10）をきれいに折り畳めるようにすべく、膨出部（13）を２つにし且つ膨出部（13）間の距離（図３のｄ）を適宜に設定し、表表紙（21）と裏表紙（22）との間の空間を確保するのが好ましい。
【００１９】
折り畳み部（12）には薬袋（15）が配置されないので、台紙（11）が折り畳まれることにより、台紙（11）と台紙（11）との間に薬袋（15）を挟むことができる。こうすることで、折り畳んだ台紙（11）の内側に薬袋（15）が位置するので、台紙（11）の外側に薬袋（15）が露出しない。従って、薬袋（15）が貼り付けられた投薬カレンダー（10）の持ち運びを容易に行うことができる。
【００２０】
（一実施形態の変形例）
一実施形態の変形例では、台紙（11）を折り畳んだ状態で保持させる保持部材（20）を備えている。この保持部材（20）を設けることにより、薬袋（15）が貼り付けられた投薬カレンダー（10）を薬局から持ち帰るとき、投薬カレンダー（10）の台紙（11）が不用意に開くのを防止することができる。
【００２１】
ここで、保持部材（20）は、台紙（11）を折り畳んだ状態で保持させるものであればよく、例えば、保持部材（20）がバンド（20a）であってもよい。バンド（20a）は、図５に示すように、台紙（11）の折り畳み部（12）を挟んで両側に位置する、表表紙（21）及び裏表紙（22）の両方に亘って巻き付けられている。このようにバンド（20a）を巻き付けることにより、台紙（11）が不用意に開くのを防止することができる。図５では、折り畳み部（12）の延びる方向（縦方向）に沿ってバンド（20a）が巻かれているが、これに限定されず、折り畳み部（12）の延びる方向に直交する方向（横方向）に沿ってバンド（20a）が巻かれていてもよい。
【００２２】
また、保持部材（20）は、互いに係合可能な係止部（20b）及び被係止部（20c）を備え、前記係止部（20b）が前記表表紙（21）及び裏表紙（22）の一方に設けられ、前記被係止部（20c）が前記表表紙（21）及び裏表紙（22）の他方に設けられているものでもよい。例えば、図６に係止部としての雄ホック（20b）を台紙（11）の裏表紙（22）に固定された帯部（27）に設け、被係止部としての雌ホック（20c）を台紙（11）の表表紙（21）に設けてもよい。裏表紙（22）側の雄ホック（20b）を表表紙（21）の雌ホック（20c）に係合させることにより、台紙（11）を折り畳んだ状態で保持させることができる。
【００２３】
また、上述の係止部（20b）及び被係止部（20c）は、ホックに限られず、例えば面ファスナーであってもよい。また、この場合であっても、台紙（11）を折り畳んだ状態で保持させることができる。
【産業上の利用可能性】
【００２４】
以上、説明したように、本考案は、投薬カレンダーについて有用である。
【符号の説明】
【００２５】
１０    投薬カレンダー
１１    台紙
１２    折り畳み部
１３    膨出部
１４    折り目
１５    薬袋
【図１】
0003197537.tif 000003
【図２】
0003197537.tif 000004
【図３】
0003197537.tif 000005
【図４】
0003197537.tif 000006
【図５】
0003197537.tif 000007
【図６】
0003197537.tif 000008
【手続補正書】
【提出日】平成27年3月20日(2015.3.20)
【手続補正１】
【補正対象書類名】明細書
【補正対象項目名】０００５
【補正方法】変更
【補正の内容】
【０００５】
しかしながら、従来の投薬カレンダーにおいて、例えば認知症の進んだ患者等が、収納ポケットに違う薬を間違えて収容することが考えられ、必ずしも薬の飲み違えを防止できるものとは言えなかった。そこで、患者に代わって薬局の薬剤師が投薬カレンダーに薬をセットすることが考えられるが、薬局の薬剤師が投薬カレンダーに薬をセットしたとしても、薬をセットした状態の投薬カレンダーを持ち運ぶことに関し、何らの考慮もなされていなかった。